(57)【要約】【課題】開動作を行う時に人による操作を必要とせず、設定時刻に自動的に開動作し、またカーテンの開動作を電動等動力機械駆動に依らず、且つ手の届く範囲で機器の操作ができるカーテンの開作動装置を提供すること。【解決手段】内蔵された時計のアラーム機能又はタイマー機能により設定時刻に自動的に開動作が作動するL字状フック（２）を用いて閉状態を保持する開作動装置（１）をカーテン設置窓の下辺窓枠中心部付近又は端部に設置することにより手の届く範囲での機器の操作を可能とし、設定時刻になると自動的に開動作が作動してカーテンの閉状態を保持していたL字状フック（２）の基部取付部が回転し、L字状フック（２）がカーテン引張りワイヤー下端部引掛け環（３）から外れてカーテンの閉状態が開放され、錘（８）の落下作用によりカーテン開放ワイヤーに引かれて動くことによりカーテンが自動的に開動作する。【選択図】  図１
2014079477.tif 000002
【特許請求の範囲】
【請求項１】
内蔵された時計のアラーム機能またはタイマー機能によってあらかじめ設定された時刻に開動作が自動的に作動してカーテンの閉状態を開放し、錘の落下作用でカーテン開放ワイヤーに引かれて動くことによりカーテンが自動的に開動作することを特徴とする時刻設定式カーテン自動開作動装置。
【請求項２】
窓の下辺窓枠付近に開作動装置を設置することにより手の届く範囲で操作ができることを特徴とする請求項１に記載の時刻設定式カーテン自動開作動装置
【請求項３】
Ｌ字状のフックをカーテン引張りワイヤー下端部の引掛け環に引っ掛けることによりカーテンの閉状態を保持することを特徴とする請求項１に記載の時刻設定式カーテン自動開作動装置。
【請求項４】
設定時刻になると開作動装置のＬ字状フック基部取付部がカーテン引張りワイヤー下端部の引掛け環からはずれる程度回転し、Ｌ字状フックがカーテン引張りワイヤー下端部の引掛け環から外れて、カーテンの閉状態が開放され、錘の落下作用でカーテン開放ワイヤーに引かれて動くことによりカーテンが自動的に開動作することを特徴とする請求項１に記載の時刻設定式カーテン自動開作動装置。
【請求項５】
カーテンレールの中央部もしくはカーテンが固定されていない側の端部にカーテン引張りワイヤーの位置を保持するためのカーテンレールに固定のカーテン引張りワイヤー位置保持環を設置し、その環にカーテン引張りワイヤーを通すことによりカーテン引張りワイヤーを窓上方のカーテンレール付近から窓枠下辺付近に設置されている開作動装置に鉛直に繋ぎ開作動装置を手の届く範囲で操作できる位置に設置することを可能とし、またカーテン閉状態時にカーテン引張りワイヤーを鉛直に保持し、開動作時にカーテン引張りワイヤーが円滑な動きをする為にワイヤーの動きを鉛直線上に保持することを特徴とする請求項１に記載の時刻設定式カーテン自動開作動装置。
【請求項６】
カーテンレールのカーテンが固定されている側の端部にカーテン開放ワイヤーの位置を保持するためのカーテンレールに固定の環を設置し、その環にカーテン開放ワイヤーを通すことによりカーテン開動作時にカーテン開放ワイヤーの動きをカーテンレールに沿った一定直線上に保持することを特徴とする請求項１に記載の時刻設定式カーテン自動開作動装置。
【請求項７】
開作動装置の閉状態保持機能部であるL字状フック部を磁力引付による電磁石に代替したことを特徴とする請求項１に記載の時刻設定式カーテン自動開作動装置。
【発明の詳細な説明】
【技術分野】
【０００１】
本発明はあらかじめ任意に設定された時刻にカーテンを自動的に開動作させて窓からの自然光を自動的に室内に採光するための装置に関するものである。
【背景技術】
【０００２】
従来のカーテンの開動作は、人そのものによる開操作が必要であり、または電動等機械駆動式の開閉機能による人の任意の指令によるものである。例を挙げると、電動等機械駆動式は特開平０５−１６８５５１号、特開平０９−２７６１２２号等がある。
【先行技術文献】
【特許文献】
【０００３】
【特許文献１】特開平０５−１６８５５１号公報
【特許文献２】特開平０９−２７６１２２号公報
【特許文献３】実開平０５−０５３５８２号公報
【発明の概要】
【発明が解決しようとする課題】
【０００４】
しかしながら、上記の発明はカーテンの開閉動作がモーターによる機械駆動によるものであり、またリモコン等でその駆動機械を遠隔操作したりするものである。これらは装置の構成も複雑であり、また機械駆動の為電源等を必要とし、そのため電気配線等も必要となり装置の設置も煩雑となる。
【０００５】
本発明はこのような問題を解決し、カーテンの開動作時の人による操作を不要とし、カーテンの開動作を電動等機械駆動に依らないカーテン開作動装置とし、かつ手の届く範囲で機器の操作ができる装置を提供することを目的とする。
【課題を解決するための手段】
【０００６】
上記の課題を解決するために、内蔵された時計のアラーム機能またはタイマー機能により設定時刻に自動的に開動作が作動するL字状フックによる閉状態を保持する開作動装置を手の届く範囲で操作ができるようにする為、下辺窓枠中心付近又は端部に設置する。
【０００７】
カーテン引張りワイヤー下端部の引掛け環に開作動装置のＬ字状フックを引っ掛けてカーテンの閉状態を保持する。
【０００８】
開作動装置は設定時刻になるとＬ字状フックの基部取付部がカーテン引張りワイヤー下端部の引掛け環からはずれる程度回転し、引掛け環からL字状フックがはずれてカーテンの閉状態が開放され、錘の落下作用でカーテン開放ワイヤーに引かれて動くことによりカーテンが自動的に開動作する。
【０００９】
カーテンレールの中央部もしくはカーテンが固定されていない側の端部にカーテン引張りワイヤーの位置を保持するためのカーテンレールに固定の環を設置し、その環にカーテン引張りワイヤーを通すことによりカーテン引張りワイヤーを窓上方のレール付近から窓枠下辺付近に設置されている開作動装置に鉛直に繋ぎ開作動装置を手の届く範囲で操作できる位置に設置することを可能とし、またカーテン閉状態時にカーテン引張りワイヤーを鉛直に保持し、カーテン開動作時にカーテン引張りワイヤーが円滑な動きをする為にカーテン引張りワイヤーの動きを鉛直線上に保持する。
【００１０】
カーテンレールのカーテンが固定されている側の端部にカーテン開放ワイヤーの位置を保持するためのカーテンレールに固定の環を設置し、その環にカーテン開放ワイヤーを通すことによりカーテン開動作時にカーテン開放ワイヤーの動きをカーテンレールに沿った一定直線上に保持する。
【００１１】
開作動装置の閉状態保持機能部であるL字状フック部は電磁石の磁力引付によるカーテン閉状態保持方法によることもできる。
【００１２】
前記の電磁石による場合、設定時刻に磁力がＯＦＦとなり磁力引付がなくなりカーテンの閉状態が開放され、錘の落下作用でカーテン開放ワイヤーに引かれて動くことによりカーテンが自動的に開動作する。
【発明の効果】
【００１３】
カーテンを自動的に開けることができるので、カーテンを開ける為の人による操作を必要とせず、カーテン開動作の為の電動等機械駆動装置も必要としない。それにより機器のコスト低減を図ることができ、且つ作動の為の電源も不要となるので電気配線等も不要となり機器の設置が簡便となる。また手の届く範囲で容易に操作ができる利便性がある。
【図面の簡単な説明】
【００１４】
【図１】カーテン閉状態時全体図
【図２】カーテン開動作時全体図
【図３】開作動装置部分拡大側面図  閉状態保持時
【図４】開作動装置部分拡大側面図  開動作時
【発明を実施するための形態】
【００１５】
あらかじめ設定しておいた時刻に開作動装置に内蔵された時計のアラーム機能またはタイマー機能が作動し、カーテンの閉状態を保持しているL字状フックの基部取付部が回転しL字状フックが引っ掛けてあったカーテン引張りワイヤー下端部引掛け環からはずれてカーテンの閉状態が開放され、錘の落下作用でカーテン開放ワイヤーに引かれて動くことによりカーテンが自動的に開動作する。
【００１６】
開作動装置を下辺窓枠中心付近又は端部に設置することにより手の届く範囲で機器の操作ができるようにする。
【実施例】
【００１７】
図１はカーテン閉状態時の全体図である。Ｌ字状フック（２）がカーテン引張りワイヤー下端部引掛け環（３）に引っ掛けられてカーテン閉状態を保持している。またカーテン引張りワイヤー（４）がカーテン引張りワイヤー位置保持環（６）を通り鉛直を保持して開作動装置（１）に接続している。また開作動装置（１）がカーテン窓枠下方付近に設置され手の届く範囲での機器の操作を可能としている。
【００１８】
図２はカーテン開動作時の全体図である。開作動装置（１）に内蔵された時計のアラームまたはタイマーに設定されていた時刻になりL字状フック（２）の基部取付部が回転しＬ字状フック（２）が引っ掛けてあったカーテン引張りワイヤー下端部引掛け環（３）からはずれて、カーテンの閉状態が開放され、錘（８）の落下作用でカーテン開放ワイヤー（５）に引かれて動くことによりカーテンが自動的に開動作する。またカーテン引張りワイヤー（４）がカーテン引張りワイヤー位置保持環（６）を通り鉛直に動き円滑な動作をする。またカーテン開放ワイヤー（５）がカーテン開放ワイヤー位置保持環（７）を通りカーテンレールに沿った一定直線上に動き円滑な動作をする。
【００１９】
図３はカーテン閉状態保持時の開作動装置（１）の側面図である。Ｌ字状フック（２）がカーテン引張りワイヤー下端部引掛け環（３）に引っ掛けられてカーテン閉状態を保持している。
【００２０】
図４はカーテン開動作時の開作動装置（１）の側面図である。基部取付部が回転した状態のL字状フック（２）と開作動装置（１）である。
【符号の説明】
【００２１】
１    開作動装置
２    Ｌ字状フック
３    カーテン引張りワイヤー下端部引掛け環
４    カーテン引張りワイヤー
５    カーテン開放ワイヤー
６    カーテン引張りワイヤー位置保持環
７    カーテン開放ワイヤー位置保持環
８    錘
９    カーテン
１０  カーテンレール
【図１】
2014079477.tif 000003
【図２】
2014079477.tif 000004
【図３】
2014079477.tif 000005
【図４】
2014079477.tif 000006